【手続補正書】
【提出日】平成26年11月26日(2014.11.26)
【手続補正１】
【補正対象書類名】特許請求の範囲
【補正対象項目名】全文
【補正方法】変更
【補正の内容】
【特許請求の範囲】
【請求項１】
ベアラ変更手順に基づいてゲートウェイに１つまたは複数の変更されたポリシルールをポリシおよび課金ルール機能（ＰＣＲＦ）によって提供することと、ここにおいて前記ベアラ変更手順は前記ゲートウェイの１つまたは複数の現在のポリシルールを前記１つまたは複数の変更されたポリシルールへ、前記１つまたは複数の変更されたポリシルールを前記ゲートウェイでインストールすることにより、更新するように構成される、
前記１つまたは複数の変更されたポリシルールを前記ゲートウェイに提供することに基づいて１つまたは複数の以前のポリシルールを前記ＰＣＲＦによってメモリに格納することと、
前記ゲートウェイが前記１つまたは複数の変更されたポリシルールをインストールすることに失敗したかどうかを前記ＰＣＲＦによって判定することと、
前記ゲートウェイが前記１つまたは複数の変更されたポリシルールをインストールすることに失敗したと前記ＰＣＲＦが判定することに基づいて前記ゲートウェイの前記１つまたは複数の現在のポリシルールを前記メモリに格納された前記１つまたは複数の以前のポリシルールへ前記ＰＣＲＦによって更新することと
を備える方法。
【請求項２】
前記１つまたは複数の変更されたポリシルールを要求する前記ゲートウェイからのクレジット制御要求（ＣＣＲ）を受信することをさらに備え、ここにおいて前記１つまたは複数の変更されたポリシルールを前記提供することはクレジット制御回答（ＣＣＡ）で前記ゲートウェイに前記１つまたは複数の変更されたポリシルールを通信することを含む、請求項１に記載の方法。
【請求項３】
前記ゲートウェイで前記１つまたは複数の変更されたポリシルールをインストールすることに関係する異種のＣＣＲを前記ゲートウェイから受信することをさらに備え、ここにおいて前記判定することは前記異種のＣＣＲに基づく、請求項２に記載の方法。
【請求項４】
前記異種のＣＣＲは前記１つまたは複数の以前のポリシルールを含む、請求項３に記載の方法。
【請求項５】
前記ゲートウェイに前記１つまたは複数の変更されたポリシルールを提供する時にタイマを初期化することをさらに備え、ここにおいて前記判定することはクレジット制御要求(ＣＣＲ)が前記タイマの満了の前に前記ゲートウェイでの前記１つまたは複数の変更されたポリシルールの受信に応答して前記ゲートウェイから受信されるかどうかを判定することに基づく、請求項１に記載の方法。
【請求項６】
アプリケーション機能から新規サービス情報を受信することと、
前記新規サービス情報に基づいて前記１つまたは複数の変更されたポリシルールを生成することとをさらに備える、請求項１に記載の方法。
【請求項７】
前記１つまたは複数の変更されたポリシルールが前記ゲートウェイでインストールに失敗したことを前記アプリケーション機能に通知することをさらに備える、請求項６に記載の方法。
【請求項８】
前記ベアラ変更手順が失敗する場合に実行すべき１つまたは複数のアクションを指定するルール挙動インジケータを前記アプリケーション機能から受信することをさらに備える、請求項７に記載の方法。
【請求項９】
前記ルール挙動インジケータを前記ゲートウェイに提供することをさらに備える、請求項８に記載の方法。
【請求項１０】
前記ルール挙動インジケータは、前記ゲートウェイが前記１つまたは複数の変更されたポリシルールをインストールすることに失敗したことに伴って、前記ＰＣＲＦが前記１つまたは複数の現在のポリシルールを前記ＰＣＲＦによって格納された前記１つまたは複数の以前のポリシルールへ更新すべきか、あるいは前記ＰＣＲＦが前記ＰＣＲＦによって格納された前記以前のポリシルールを解放すべきかを指定する、請求項８に記載の方法。
【請求項１１】
前記ゲートウェイが成功裡に前記１つまたは複数の変更されたポリシルールをインストールしたことに基づいて、前記ＰＣＲＦによって格納された前記１つまたは複数の以前のポリシルールを除去することをさらに備える、請求項１に記載の方法。
【請求項１２】
少なくとも１つのプロセッサであって、
ベアラ変更手順に基づいてゲートウェイに１つまたは複数の変更されたポリシルールを提供し、ここにおいて前記ベアラ変更手順は前記ゲートウェイの１つまたは複数の現在のポリシルールを前記１つまたは複数の変更されたポリシルールへ、前記１つまたは複数の変更されたポリシルールを前記ゲートウェイでインストールすることにより、更新するように構成される、
前記少なくとも１つのプロセッサが前記１つまたは複数の変更されたポリシルールを前記ゲートウェイに提供することに基づいて、１つまたは複数の以前のポリシルールを格納し、
前記ゲートウェイが前記１つまたは複数の変更されたポリシルールをインストールすることに失敗したかどうかを判定し、
前記ゲートウェイが前記１つまたは複数の変更されたポリシルールをインストールすることに失敗したと前記少なくとも１つのプロセッサが判定することに基づいて前記ゲートウェイの前記１つまたは複数の現在のポリシルールを前記メモリに格納された前記１つまたは複数の以前のポリシルールへ更新するポリシおよび課金ルール機能（ＰＣＲＦ）を実行するように構成される、少なくとも１つのプロセッサと、
前記少なくとも１つのプロセッサに結合されたメモリと、ここにおいて前記少なくとも１つのプロセッサは前記１つまたは複数の以前のポリシルールを前記メモリに格納するように構成される、
を備えるワイヤレス通信装置。
【請求項１３】
ベアラ変更手順に基づいてゲートウェイに１つまたは複数の変更されたポリシルールを提供するための手段と、ここにおいて前記ベアラ変更手順は前記ゲートウェイの１つまたは複数の現在のポリシルールを前記１つまたは複数の変更されたポリシルールへ、前記１つまたは複数の変更されたポリシルールを前記ゲートウェイでインストールすることにより、更新するように構成される、
前記１つまたは複数の変更されたポリシルールを前記ゲートウェイに提供することに基づいて、１つまたは複数の以前のポリシルールをメモリに格納する手段と、
前記ゲートウェイが前記１つまたは複数の変更されたポリシルールをインストールすることに失敗したかどうかを判定するための手段と、
前記ゲートウェイが前記１つまたは複数の変更されたポリシルールをインストールすることに失敗したと前記判定するための手段が示すことに基づいて前記ゲートウェイの前記１つまたは複数の現在のポリシルールを前記メモリに格納された前記１つまたは複数の以前のポリシルールへ更新するための手段とを備える、装置。
【請求項１４】
非一時的コンピュータ可読媒体であって、
ベアラ変更手順に基づいてゲートウェイに１つまたは複数の変更されたポリシルールを提供することを少なくとも１つのコンピュータに行わせるコードと、ここにおいて前記ベアラ変更手順は前記ゲートウェイの１つまたは複数の現在のポリシルールを前記１つまたは複数の変更されたポリシルールへ、前記１つまたは複数の変更されたポリシルールを前記ゲートウェイでインストールすることにより、更新するように構成される、
前記少なくとも１つのコンピュータが前記１つまたは複数の変更されたポリシルールを前記ゲートウェイに提供することに基づいて、１つまたは複数の以前のポリシルールをメモリに格納することを前記少なくとも１つのコンピュータに行わせるコードと、
前記ゲートウェイが前記１つまたは複数の変更されたポリシルールをインストールすることに失敗したかどうかを判定することを前記少なくとも１つのコンピュータに行わせるコードと、
前記ゲートウェイが前記１つまたは複数の変更されたポリシルールをインストールすることに失敗したと前記少なくとも１つのコンピュータが判定することに基づいて、前記ゲートウェイの前記１つまたは複数の現在のポリシルールを前記メモリに格納された前記１つまたは複数の以前のポリシルールへ更新することを前記少なくとも１つのコンピュータに行わせるコードと
を備える非一時的コンピュータ可読媒体。
【請求項１５】
ベアラ変更手順に基づいてゲートウェイに１つまたは複数の変更されたポリシルールを提供するルール提供コンポーネントと、ここにおいて前記ベアラ変更手順は前記ゲートウェイの１つまたは複数の現在のポリシルールを前記１つまたは複数の変更されたポリシルールへ、前記１つまたは複数の変更されたポリシルールを前記ゲートウェイでインストールすることにより、更新するように構成される、
前記ルール提供コンポーネントが前記１つまたは複数の変更されたポリシルールを前記ゲートウェイに提供することに基づいて、１つまたは複数の以前のポリシルールをメモリに格納するルール戻しコンポーネントと、
前記ゲートウェイが前記１つまたは複数の変更されたポリシルールをインストールすることに失敗したかどうかを判定するハードウェアを含む変更状況受信コンポーネントと、
ここにおいて前記ルール戻しコンポーネントは前記ゲートウェイが前記１つまたは複数の変更されたポリシルールをインストールすることにを失敗したと前記変更状況受信コンポーネントが判定することに基づいて前記ゲートウェイの前記１つまたは複数の現在のポリシルールを前記メモリに格納された前記１つまたは複数の以前のポリシルールへ更新する、
を備える装置。
【請求項１６】
前記ルール提供コンポーネントは、前記ベアラ変更手順の一部として前記ゲートウェイから受信されたクレジット制御要求（ＣＣＲ）に基づいてクレジット制御回答（ＣＣＡ）内で前記ゲートウェイに前記１つまたは複数の変更されたポリシルールを提供する、請求項１５に記載の装置。
【請求項１７】
前記変更状況受信コンポーネントは、前記ゲートウェイでの前記１つまたは複数の変更されたポリシルールのインストールに関係する異種のＣＣＲを前記ゲートウェイから入手し、前記異種のＣＣＲに基づいて前記ゲートウェイが前記１つまたは複数の変更されたポリシルールをインストールすることに失敗したかどうかを判定する、請求項１６に記載の装置。
【請求項１８】
前記異種のＣＣＲは前記１つまたは複数の以前のポリシルールを含む、請求項１７に記載の装置。
【請求項１９】
前記変更状況受信コンポーネントは、ルール更新コンポーネントが前記１つまたは複数の変更されたポリシルールを前記ゲートウェイに提供する時にタイマを初期化し、クレジット制御要求（ＣＣＲ）が前記タイマの満了の前に受信されるかどうかに基づいて前記ゲートウェイが前記１つまたは複数の変更されたポリシルールをインストールすることに失敗したかどうかを判定する、請求項１５に記載の装置。
【請求項２０】
アプリケーション機能から新規サービス情報を入手する新規サービス受信コンポーネントをさらに備え、ここにおいて前記ルール更新コンポーネントは、前記新規サービス情報に基づいて前記１つまたは複数の変更されたポリシルールを生成する、請求項１５に記載の装置。
【請求項２１】
前記１つまたは複数の変更されたポリシルールのインストールが失敗する時に、前記アプリケーション機能に通知する変更状況通信コンポーネントをさらに備える、請求項２０に記載の装置。
【請求項２２】
前記ベアラ変更手順が失敗する場合に実行すべき１つまたは複数のアクションを指定するルール挙動インジケータを前記アプリケーション機能から入手するルール挙動受信コンポーネントをさらに備える、請求項１５に記載の装置。
【請求項２３】
前記ルール挙動インジケータを前記ゲートウェイに通信するルール挙動指定コンポーネントをさらに備える、請求項２２に記載の装置。
【請求項２４】
前記ルール挙動インジケータは、前記ゲートウェイが前記１つまたは複数の変更されたポリシルールをインストールすることに失敗したことに伴って、前記ルール戻しコンポーネントが前記１つまたは複数の現在のポリシルールを前記メモリに格納された前記１つまたは複数の以前のポリシルールへ更新すべきか、あるいは前記ルール戻しコンポーネントが前記メモリに格納された前記以前のポリシルールを解放すべきかを指定する、請求項２３に記載の装置。
【請求項２５】
前記ルール戻しコンポーネントは、前記ゲートウェイが前記１つまたは複数の変更されたポリシルールを成功裡にインストールしたと前記変更状況受信コンポーネントが判定することに基づいて、前記メモリから前記１つまたは複数の以前のポリシルールを除去する、請求項１５に記載の装置。
【請求項２６】
ベアラ変更手順に基づいてポリシおよび課金ルール機能（ＰＣＲＦ）から１つまたは複数の変更されたポリシルールをゲートウェイによって受信することと、ここにおいて前記ベアラ変更手順は前記ゲートウェイの１つまたは複数の現在のポリシルールを前記１つまたは複数の変更されたポリシルールへ、前記１つまたは複数の変更されたポリシルールを前記ゲートウェイでインストールすることにより、更新するように構成される、
前記ベアラ変更手順の一部として前記１つまたは複数の変更されたポリシルールをインストールすることを前記ゲートウェイによって試みることと、
前記ゲートウェイが前記ベアラ変更手順の一部として前記１つまたは複数の変更されたポリシルールをインストールすることに失敗する時に、前記ベアラ変更手順が失敗したことを示すためにクレジット制御要求（ＣＣＲ）を前記ＰＣＲＦに前記ゲートウェイによって送信することと、
ここにおいて前記ＣＣＲは前記ゲートウェイの前記１つまたは複数の現在のポリシルールを前記ＰＣＲＦによってメモリに格納された１つまたは複数の以前のポリシルールへ更新することを前記ＰＣＲＦに行わせる、
を備える方法。
【請求項２７】
前記ベアラ変更手順の一部としてルール変更を要求するために異種のＣＣＲを前記ＰＣＲＦに送信することをさらに備え、ここにおいて前記１つまたは複数の変更されたポリシルールの前記受信は、対応するクレジット制御回答（ＣＣＡ）内で前記１つまたは複数の変更されたポリシルールを受信することを含む、請求項２６に記載の方法。
【請求項２８】
前記１つまたは複数の以前のポリシルールを含むように前記ＣＣＲを生成することをさらに備える、請求項２６に記載の方法。
【請求項２９】
前記ベアラ変更手順が失敗する場合に実行すべき１つまたは複数のアクションを指定するルール挙動インジケータを受信することをさらに備える、請求項２６に記載の方法。
【請求項３０】
少なくとも１つのプロセッサであって、
ベアラ変更手順に基づいてポリシおよび課金ルール機能（ＰＣＲＦ）から１つまたは複数の変更されたポリシルールを受信し、ここにおいて前記ベアラ変更手順はゲートウェイの１つまたは複数の現在のポリシルールを前記１つまたは複数の変更されたポリシルールへ、前記１つまたは複数の変更されたポリシルールを前記ゲートウェイでインストールすることにより、更新するように構成される、
前記ベアラ変更手順の一部として前記１つまたは複数の変更されたポリシルールをインストールすることを試み、
前記少なくとも１つのプロセッサが前記ベアラ変更手順の一部として前記１つまたは複数の変更されたポリシルールをインストールすることに失敗する時に、前記ベアラ変更手順が失敗したことを示すために前記ＰＣＲＦにクレジット制御要求（ＣＣＲ）を送信するように構成された少なくとも１つのプロセッサと、
前記少なくとも１つのプロセッサに結合されたメモリと、ここにおいて前記ＣＣＲは前記ゲートウェイの前記１つまたは複数の現在のポリシルールを前記ＰＣＲＦによって前記メモリに格納された１つまたは複数の以前のポリシルールへ更新することを前記ＰＣＲＦに行わせる、
を備えるワイヤレス通信装置。
【請求項３１】
ベアラ変更手順に基づいてポリシおよび課金ルール機能（ＰＣＲＦ）から１つまたは複数の変更されたポリシルールを受信するための手段と、ここにおいて前記ベアラ変更手順はゲートウェイの１つまたは複数の現在のポリシルールを前記１つまたは複数の変更されたポリシルールへ、前記１つまたは複数の変更されたポリシルールを前記ゲートウェイでインストールすることにより、更新するように構成される、
前記ベアラ変更手順の一部として前記１つまたは複数の変更されたポリシルールをインストールすることを試みるための手段と、
前記試みるための手段が前記ベアラ変更手順の一部として前記１つまたは複数の変更されたポリシルールをインストールすることに失敗する時に、前記ベアラ変更手順が失敗したことを示すために前記ＰＣＲＦにクレジット制御要求（ＣＣＲ）を送信するための手段と、
ここにおいて前記ＣＣＲは前記ゲートウェイの前記１つまたは複数の現在のポリシルールを前記ＰＣＲＦによってメモリに格納された１つまたは複数の以前のポリシルールへ更新することを前記ＰＣＲＦに行わせる、
を備える装置。
【請求項３２】
コンピュータプログラム製品であって、
ベアラ変更手順に基づいてポリシおよび課金ルール機能（ＰＣＲＦ）から１つまたは複数の変更されたポリシルールを入手することを前記少なくとも１つのコンピュータに行わせるコードと、ここにおいて前記ベアラ変更手順はゲートウェイの１つまたは複数の現在のポリシルールを前記１つまたは複数の変更されたポリシルールへ、前記１つまたは複数の変更されたポリシルールを前記ゲートウェイでインストールすることにより、更新するように構成される、
前記ベアラ変更手順の一部として前記１つまたは複数の変更されたポリシルールをインストールすることを試みることを前記少なくとも１つのコンピュータに行わせるコードと、
前記少なくとも１つのコンピュータが前記ベアラ変更手順の一部として前記１つまたは複数の変更されたポリシルールをインストールすることに失敗する時に、前記ベアラ変更手順が失敗したことを示すために前記ＰＣＲＦにクレジット制御要求（ＣＣＲ）を送信することを前記少なくとも１つのコンピュータに行わせるコードと、
ここにおいて前記ＣＣＲは前記ゲートウェイの前記１つまたは複数の現在のポリシルールを前記ＰＣＲＦによってメモリに格納された１つまたは複数の以前のポリシルールへ更新することを前記ＰＣＲＦに行わせる、
を備える非一時的コンピュータ可読媒体を備えるコンピュータプログラム製品。
【請求項３３】
ベアラ変更手順に基づいてポリシおよび課金ルール機能（ＰＣＲＦ）から１つまたは複数の変更されたポリシルールを入手するルール受信コンポーネントと、ここにおいて前記ベアラ変更手順はゲートウェイの１つまたは複数の現在のポリシルールを前記１つまたは複数の変更されたポリシルールへ、前記１つまたは複数の変更されたポリシルールを前記ゲートウェイでインストールすることにより、更新するように構成される、
前記ベアラ変更手順の一部として前記１つまたは複数の変更されたポリシルールをインストールすることを試みるハードウェアを含むルール変更コンポーネントと、
前記ルール変更コンポーネントが前記ベアラ変更手順の一部として前記１つまたは複数の変更されたポリシルールをインストールすることに失敗する時に、前記ベアラ変更手順が失敗したことを示すために前記ＰＣＲＦにクレジット制御要求（ＣＣＲ）を送信する変更状況通信コンポーネントと、
ここにおいて前記ＣＣＲは前記ゲートウェイの前記１つまたは複数の現在のポリシルールを前記ＰＣＲＦによってメモリに格納された１つまたは複数の以前のポリシルールへ更新することを前記ＰＣＲＦに行わせる、
を備える装置。
【請求項３４】
前記ルール受信コンポーネントは、ルール変更を要求する異種のＣＣＲに応答してクレジット制御回答（ＣＣＡ）内で前記１つまたは複数の変更されたポリシルールを受信する、請求項３３に記載の装置。
【請求項３５】
前記変更状況通信コンポーネントは、前記１つまたは複数の以前のポリシルールを含むように前記ＣＣＲを生成する、請求項３３に記載の装置。
【請求項３６】
前記ベアラ変更手順が失敗する場合に実行すべき１つまたは複数のアクションを指定するルール挙動インジケータを入手するルール挙動受信コンポーネントをさらに備える、請求項３３に記載の装置。